(57)【要約】【課題】住宅に使用される洗濯物を室内で乾燥させる装置において、複数の洗濯物を同時に乾燥させる場合に要する時間の短縮化を図る洗濯物の乾燥方法と洗濯物の乾燥システムを提供することを目的とする。【解決手段】浴室空間１へ空気を吹出す加熱送風ユニット３を備え、加熱送風ユニットの吹出気流で形成される気流分布と洗濯物１４の乾燥の難易度とを判断基準として洗濯物１４を配置することにより、気流の強弱に基づく洗濯物表面の対流熱伝達率の違いと乾燥の難易度を指標とした序列とを補完的に組み合わせることとなり、洗濯物全体を平均的に乾燥できる洗濯物の乾燥方法が得られる。【選択図】図１
2011160906.tif 000002
【特許請求の範囲】
【請求項１】
室内へ空気を吹出す送風手段を備え、前記送風手段の吹出気流で形成される気流分布と各洗濯物の乾燥の難易度とを判断基準として、各洗濯物を配置することを特徴とする洗濯物の乾燥方法。
【請求項２】
乾燥の難易度として、洗濯物の生地の厚さを指標とすることを特徴とする請求項１記載の洗濯物の乾燥方法。
【請求項３】
乾燥の難易度として、洗濯物の素材の種類を指標とすることを特徴とする請求項１記載の洗濯物の乾燥方法。
【請求項４】
）
乾燥の難易度として、洗濯物の重量を指標とすることを特徴とする請求項１記載の洗濯物の乾燥方法。
【請求項５】
室内の空気を吸込んで前記室内へ空気を吹出す送風手段と、洗濯物を吊り干すための物干し竿とを前記室内に備え、乾燥能力の指標を前記物干し竿の表面に表示したことを特徴とする乾燥システム。
【請求項６】
乾燥能力の指標を前記送風手段の吹出気流で形成される気流分布から算出したことを特徴とする請求項５記載の室乾燥システム。
【請求項７】
前記物干し竿の表面に表示する乾燥能力の指標を、色で表示したことを特徴とする請求項５または６に記載の乾燥システム。
【請求項８】
前記物干し竿の表面に表示する乾燥能力の指標を、前記物干し竿の円周上に環状表示したことを特徴とする請求項７に記載の乾燥システム。
【請求項９】
物干し竿と前記送風手段との相対位置の違いにより、前記物干し竿の表面に表示する乾燥能力の指標が異なることを特徴とする請求項５から８のいずれか一項に記載の乾燥システム。
【請求項１０】
前記物干し竿の表面に表示する乾燥能力の指標を、シート状の粘着シールに印刷したことを特徴とする請求口９記載の乾燥システム。
【発明の詳細な説明】
【技術分野】
【０００１】
本発明は、住宅内で使用される洗濯物を乾燥させる装置と洗濯物を乾燥させる方法に関するものである。
【背景技術】
【０００２】
近年、天候や屋外空気汚染や有職主婦の増加や防犯上の問題または生活スタイルの変化などに伴い、洗濯物を室内で乾燥させたいといった要望が多くなってきている。
【０００３】
従来、この種の洗濯物を室内で乾燥させる装置は、室内で洗濯物を乾燥させるために室内の天井に備えられたものが知られている（例えば、特許文献１参照）。
【０００４】
図５に示すように、浴室１０１に備えられた浴室換気乾燥機１０２は換気ファン１０３と循環ファン１０４と加熱手段としての熱交換器１０５と湿度検知手段が備えられ、循環ファン１０４で熱交換器１０５を通過した浴室空気を加熱し、室内の水蒸気を換気ファン１０３で排気することで、浴室に吊るされた洗濯物を乾燥させるものである。
【先行技術文献】
【特許文献】
【０００５】
【特許文献１】特開２００２−２２１３８８号公報
【発明の概要】
【発明が解決しようとする課題】
【０００６】
このような従来の洗濯物を室内で乾燥させる装置においては、室内に吊り干された洗濯物に対し加熱空気を当て、加熱空気の強制対流を利用して洗濯物を加熱することにより洗濯物に含まれる水分の蒸発を促進し洗濯物を乾燥させることを目的としている。従って、洗濯物に対して加熱空気が当たる部分と当たらない部分において、洗濯物の乾燥度合いに大きな違いが生じることとなり、複数の洗濯物を同時に乾燥させる場合に時間を要するといった課題を有していた。
【０００７】
そこで本発明は、上記従来の課題を解決するものであり、複数の洗濯物を同時に乾燥させる場合に要する時間の短縮化を図る洗濯物の乾燥方法と洗濯物の乾燥システムを提供することを目的とする。
【課題を解決するための手段】
【０００８】
そして、この目的を達成するために、本発明は、室内へ空気を吹出す送風手段を備え、前記送風手段の吹出気流で形成される気流分布と各洗濯物の乾燥の難易度とを判断基準として各洗濯物を配置するものであり、これにより所期の目的を達成するものである。
【０００９】
また本発明は、室内の空気を吸込んで前記室内へ空気を吹出す送風装置と、洗濯物を吊り干すための物干し竿とを前記室内に備え、乾燥能力の指標を前記物干し竿の表面に表示したものである。
【発明の効果】
【００１０】
本発明によれば、室内へ空気を吹出す送風手段を備え、前記送風手段の吹出気流で形成される気流分布と各洗濯物の乾燥の難易度とを判断基準として各洗濯物を配置することにより、気流の強弱に基づく洗濯物表面の対流熱伝達率の違いと乾燥の難易度を指標とした序列とを補完的に組み合わせることとなり、洗濯物全体を平均的に乾燥できるという効果を得ることができる。
【００１１】
また本発明によれば、室内の空気を吸込んで前記室内へ空気を吹出す送風装置と、洗濯物を吊り干すための物干し竿とを前記浴室に備え、乾燥能力の指標を前記物干し竿の表面に表示したことにより、使用者が各洗濯物を吊り干す作業を迷わずに実施できるようになり、使用者の作業性が向上するという効果を得ることができる。
【図面の簡単な説明】
【００１２】
【図１】本発明の実施の形態１における洗濯物の乾燥システムの構成図
【図２】本発明の実施の形態２における物干し竿まわりの構成を示す詳細図
【図３】本発明の実施の形態２における加熱送風ユニットの動作時における気流分布図
【図４】本発明の実施の形態２における物干し竿の斜視図
【図５】従来の洗濯物を室内で乾燥させる装置の構成を示す断面図
【発明を実施するための形態】
【００１３】
本発明の請求項１記載の洗濯物の乾燥方法は、室内へ空気を吹出す送風手段を備え、送風手段の吹出気流で形成される気流分布と各洗濯物の乾燥の難易度とを判断基準として、各洗濯物を配置した構成？を有する。これにより、気流の強弱に基づく洗濯物表面の対流熱伝達率の違いとしての乾燥能力と洗濯物における乾燥の難易度を指標とした序列とを補完的に組み合わせることとなり、個々の洗濯物を乾燥難易度に応じた配置とすることで、洗濯物全体を平均的に乾燥させることができるという効果を奏する。
【００１４】
また、乾燥の難易度として、洗濯物の生地の厚さを指標としてもよい。これにより、洗濯を干す作業といった必然的に生じる作業の中で目視や手触りといった感覚情報に基づいて各洗濯物の生地の厚さを認識することとなり、追加的な作業を負担することなく洗濯物の乾燥の難易度を判断することができるという効果を奏する。
【００１５】
また、乾燥の難易度として、洗濯物の素材の種類を指標としてもよい。これにより、作業者は衣類の品質表示を見るといった具体的な数値指標を確認することとなり、数値表示の比較により明確に洗濯物の乾燥の難易度を判断することができる。
【００１６】
また、乾燥の難易度として、洗濯物の重量を指標としてもよい。これにより、作業者は洗濯物を干すときの重量感覚で認識することとなり、感覚的に判断することができる。
【００１７】
また、室内の空気を吸込んで前記室内へ空気を吹出す送風装置と、洗濯物を吊り干すための物干し竿とを室内に備え、乾燥能力の指標を物干し竿の表面に表示した構成を有する。これにより、作業者は吊り干す位置の乾燥能力を見ながら各洗濯物を吊り干す位置を決定できるので、各洗濯物の乾燥の難易度に合わせ洗濯物を効率的に乾燥させる干し位置を容易に判断することができる。
【００１８】
また、乾燥能力の指標を送風装置の吹出気流で形成される気流分布から算出してもよい。これにより、洗濯物の乾燥度合いに影響する表面熱伝達率の違いから指標を算出することとなり、乾燥能力を精度よく算出することが可能となる。
【００１９】
また、物干し竿の表面に表示する乾燥能力の指標を、色で表示してもよい。これにより、乾燥難易度を感覚で認識することができる。
【００２０】
また、物干し竿の表面に表示する乾燥能力の指標を、物干し竿の円周上に環状表示してもよい。これにより、物干し竿の固定位置にかかわらず、乾燥難易度を確実に認識することができる。
【００２１】
また、物干し竿と送風装置との相対位置の違いにより、前記物干し竿の表面に表示する乾燥能力の指標を変えてもよい。これにより、乾燥能力に対する精度が向上することとなる。
【００２２】
また、物干し竿の表面に表示する乾燥能力の指標を、シート状の粘着シールに印刷してもよい。これにより、物干し竿と送風装置の設置状況に応じ乾燥能力の指標が印刷された粘着シールを選択することができるので、適切な乾燥能力の指標を表示することができる。
【００２３】
以下、本発明の実施の形態について図面を参照しながら説明する。
【００２４】
（実施の形態１）
図１は、本発明の実施の形態１における洗濯物の乾燥システムの構成図である。
【００２５】
図１に示すように、室内としての浴室空間１の天井２には、浴室空間１の空気を加熱送風する送風手段としての加熱送風ユニット３が備えられている。加熱送風ユニット３は、吸込口４と加熱手段としての電気ヒーター５と送風手段としてのクロスフローファン６と吹出口７とが連通する構成となっており、吸込口４から浴室空間１の空気８を吸込み、電気ヒーター５で加熱され、クロスフローファン６で加圧送風され、吹出口７から浴室空間１へ吹出気流９が吹出されている。
【００２６】
また、吸込口４は換気手段としての排気ファン１０を用いダクト１１を介して屋外へ連通されており、吸込口４で吸込まれた浴室空気の一部は屋外へ排出空気１２として排出される構成となっている。吸込口４には浴室空間１から空気と共に流入する埃を除去するためのフィルター１３が備えられている。
【００２７】
また、浴室空間１には洗濯物１４ａ、１４ｂを吊り干すための物干し竿１５ａ、１５ｂが備えられており、洗濯物１４ａ、１４ｂを吊り干す作業者は、吹出口７からの吹出気流９の強さを確認しながら洗濯物１４ａ、１４ｂを物干し竿１５ａ、１５ｂへ吊り干す作業をおこなう。その場合、吹出口７からの吹出気流９により浴室空間１に形成される気流分布にあわせて、洗濯物１４ａ、１４ｂを物干し竿１５ａ、１５ｂへ吊り干す序列を決定する。
【００２８】
すなわち、浴室空間１において、気流が強い領域として例えば吹出口７からの吹出気流９が直接当たる領域に対しては乾燥の難易度が高い洗濯物１４ａを、気流が弱い領域として例えば吹出口７からの吹出気流９が直接当たらない領域に対しては乾燥の難易度が低い洗濯物１４ｂを比較選別し、物干し竿１５ａ、１５ｂへ吊り干すこととなる。
【００２９】
一般的に表面熱伝達率は対象物の周囲の気流に影響を受ける。洗濯物の場合であっても同様に洗濯物の表面熱伝達率はその洗濯物の周囲の気流に影響を受けることから、洗濯物の周囲の風速が強くなるほど洗濯物への熱伝達量が増加し、各洗濯物の乾燥能力に違いが生じることなる。従って、気流の弱い領域範囲から乾燥の難易度の低い洗濯物を選択的に吊り干し、気流の強い領域に対して段階的に乾燥難易度の高い洗濯物を吊り干すことで、洗濯物全体を満遍なく平均的に乾燥させることとなる。
【００３０】
続いて、作業者が物干し竿１５ａ、１５ｂへ吊り干すときに考慮する必要のある乾燥の難易度の説明をおこなう。
【００３１】
一般的な家庭における洗濯物は繊維の種類や布の厚さなど多種多様なものが混在しており、各洗濯物によって乾燥の難易度に違いがあることは明らかである。
【００３２】
洗濯物における乾燥の難易度を定量的な表現で言い換えると、一定の周囲環境に暴露された洗濯物に対して乾燥に達するまでの時間と定義することとなり、洗濯物に含まれる水分量とその水分が蒸発する速度との比率で決まってくる。洗濯物に含まれる水分を蒸発させるには蒸発潜熱相当分の熱量を取得する必要があることから、洗濯物に含まれる水分が蒸発する速度は温度や湿度や風速など洗濯物の周辺環境条件で決定される。従って、洗濯物の乾燥の難易度は洗濯物の単位面積当たりの水分量により決定される指標となる。
【００３３】
洗濯物を干す作業者は、洗濯物を干す作業時に各々の洗濯物における乾燥の難易度を判断する必要がある。洗濯物の単位面積当たりの含水量は、水分を含み得る容積の要因と水分を含む割合として単位容積あたりの含水率の要因が影響する。水分を含み得る容積の要因としては洗濯物の生地の厚さが、そして含水率の要因としては洗濯物の素材の種類が大きく影響する。
【００３４】
また、家庭での洗濯行為は日常的に繰り返し実施されていることから、各々の洗濯物の乾燥状態における重量を感覚的かつ無意識のうちに把握しているものである。そして、洗濯物を吊り干す作業において、各洗濯物を手に取る必然性により各洗濯物の重量を感覚的に認識できることとなる。したがって、一連の洗濯作業のなかで感覚的に把握できる洗濯物の重量情報に基づいて、乾燥状態と湿潤状態との相対比較をおこなうことにより洗濯物に含まれる水分量を認識することができる。
【００３５】
このように、洗濯物における乾燥の難易度の判断材料として、同時に洗濯を実施した洗濯物の生地の厚さを相対比較することにより、洗濯を干す作業といった必然的に生じる作業の中で目視や手触りといった感覚情報に基づいて各洗濯物の生地の厚さを認識することとなり、追加的な作業を負担することなく洗濯物の乾燥の難易度を判断することができる。
【００３６】
また、洗濯物における乾燥の難易度の判断指標として、同時に洗濯を実施した洗濯物の素材の種類として天然繊維の比率を相対比較することにより、作業者は衣類の品質表示を見るといった具体的な数値指標を確認することとなり、数値表示の比較により明確に洗濯物の乾燥の難易度を判断することができる。
【００３７】
また、洗濯物における乾燥の難易度の判断指標として、同時に洗濯を実施した洗濯物の重量を乾燥時の重量とを相対比較することにより、作業者は洗濯物を干すときの重量感覚で認識することとなり、感覚的に判断することができる。
【００３８】
上記構成において、気流の強弱に基づく洗濯物表面の対流熱伝達率の違いとしての乾燥能力と洗濯物における乾燥の難易度を指標とした序列とを補完的に組み合わせることとなり、個々の洗濯物を乾燥難易度に応じた配置とすることで、洗濯物全体を平均的に乾燥できるという効果を得ることができる。
【００３９】
なお、実施の形態１では、室内空間に空気を加熱送風する加熱送風ユニットを用いたが、加熱送風ユニットにかえて除湿送風ユニットなど室内空間に送風を行なえるユニットを用いてもよく、その作用効果に差異を生じない。
【００４０】
また、実施の形態１では、送風手段にクロスフローファンを用いたが、クロスフローファンにかえてシロッコファンを用いてもよく、その作用効果に差異を生じない。
【００４１】
（実施の形態２）
図１において、図２と同様の構成要素については同一の符号を付し、その詳細な説明は省略する。
【００４２】
図２は本発明の実施の形態２における物干し竿まわりの構成を示す詳細図であり、図３は、本発明の実施の形態２における加熱送風ユニットの動作時における気流分布図であり、図４は本発明の実施の形態２における物干し竿の斜視図である。
【００４３】
図２において、浴室空間１には洗濯物を吊り干すための物干し竿１５が備えられている。物干し竿１５は浴室空間１の壁１６に固定された受け具１７ａ、１７ｂで物干し竿１５の両端を支持しており、物干し竿１５は受け具１７ａ、１７ｂから任意に着脱できようになっている。物干し竿１５は円柱棒状の形状あり円柱の円周回転方向に対する方向性が無いので、物干し竿１５を受け具１７ａ、１７ｂで支持させる場合には、円柱の円周回転方向に対して任意に固定されることとなる。
【００４４】
物干し竿１５の表面には、物干し竿１５に吊り干す位置により洗濯物が乾燥する度合いを相対的に認識することのできる乾燥能力の指標１８が表示されており、乾燥能力を肌で感じる風速といった感覚値による誤認を生じることなく定量的に認識することができる。
【００４５】
また、乾燥能力の指標１８は物干し竿１５の表面に対する着色により洗濯物が乾燥する優劣程度としての乾燥能力が表示されており、物干し竿１５の軸方向に対する乾燥能力の違いを着色の大小幅で表現されている。また、乾燥能力の指標１８は物干し竿１５の円柱棒状の円周方向に対して環状となるように着色されている。
【００４６】
上記構成において、物干し竿１５を受け具１７ａ、１７ｂに対する固定の状態として、物干し竿１５の円周回転方向に対する向きに関わらず、また、洗濯物を吊り干す作業者が物干し竿１５を目視する角度や方向に関わらず、物干し竿１５に表示されている乾燥性能を目視することが可能となり、作業者が乾燥難易度を確実に認識することができる。
【００４７】
上記構成において、洗濯物を干す作業者は吊り干す位置の乾燥能力を見ながら各洗濯物を吊り干す位置を決定できるので、各洗濯物の乾燥の難易度に合わせ、洗濯物を効率的に乾燥させる干し位置を容易に判断することができる。
【００４８】
続いて物干し竿１５の表面に表示されている乾燥能力の説明をおこなう。
【００４９】
図３において、加熱送風ユニット３を作動させるとクロスフローファン６に通電され吹出口７から気流が吹出され、浴室空間１には図３の浴室空間１に示される等風速線Ｃで示されるような偏りのある風速分布が形成される。浴室空間１における風速分布は、風速の強い領域においては吹出口７から吹出される気流の条件に依存するため、加熱送風ユニット３の設計仕様と加熱送風ユニット３と物干し竿１５とが備えられる相対位置に応じて風速分布が一意的に決定される。
【００５０】
そして、洗濯物の表面熱伝達率は洗濯物の周囲の気流の強弱に影響を受けるので、洗濯物の周囲の風速が大きいほど洗濯物への熱伝達量が増加し、各洗濯物の乾燥能力に違いが生じることなる。従って、気流の強弱に基づく洗濯物表面の対流熱伝達率の違いを利用して洗濯物の乾燥能力の指標を算出することにより、乾燥能力を精度よく算出することができる。
【００５１】
図４において、物干し竿１５はシート状となった粘着シール２０が貼り付けられるようになっている。物干し竿１５の軸方向に対して粘着シール２０を貼り付ける位置は、加熱送風ユニット３の位置に合わせて貼り付ける位置が決定される。例えば、加熱送風ユニット３の中心線Ａ−Ａ′と粘着シール２０の中心線Ｂ−Ｂ´が、平面視で一致するように粘着シール２０を物干し竿１５に貼り付ける。また、粘着シール２０には、乾燥能力の大小を指数化した乾燥能力の指標１８が印刷されている。
【００５２】
また、加熱送風ユニット３は天井に備えられるので浴室空間１の天井に備えられる他の設備や天井形状などとの関係により配置が決まる。また、物干し竿１５はその両端を壁面で固定されているが、物干し竿１５に吊り干される洗濯物が壁面や扉などに接触しないように、物干し竿１５の配置が決められる。従って、加熱送風ユニット３と物干し竿１５．との配置は異なる要因から決まるために、加熱送風ユニット３と物干し竿１５との相対位置が一律とは成り得ない。
【００５３】
そこで、加熱送風ユニット３と物干し竿１５との相対位置の変化にあわせ、物干し竿の表面に表示する乾燥能力の指標の表示を変化させることにより、乾燥能力に対する精度が向上することとなる。そこで、印刷されている乾燥能力の指標１８が異なる粘着シール２０が複数枚準備されており、加熱送風ユニット３と物干し竿１５とが設置される状況に合わせて粘着シール２０を選択できるようになっている。従って、加熱送風ユニット３と物干し竿１５との設置状況に応じた乾燥能力の指標を表示することができることとなる。
【００５４】
なお、実施の形態２では乾燥能力の度合いを着色の大小幅を用いて表示しているが着色の大小幅のほか色彩の変化など相対的な序列を表現する手法であれば、その作用効果に違いは生じない。
【産業上の利用可能性】
【００５５】
本発明にかかる洗濯物の乾燥方法と洗濯物の乾燥システムは、洗濯物全体を平均的に乾燥できることや、使用者の作業性が向上することを可能とするものであるので、住宅の浴室や洗面室などに使用される洗濯の乾燥システム等として有用である。
【符号の説明】
【００５６】
１    浴室空間
３    加熱送風ユニット
９    吹出気流
１４、１４ａ、１４ｂ  洗濯物
１５、１５ａ、１５ｂ  物干し竿
１８  乾燥能力の指標
２０  粘着シール
【図１】
2011160906.tif 000003
【図２】
2011160906.tif 000004
【図３】
2011160906.tif 000005
【図４】
2011160906.tif 000006
【図５】
2011160906.tif 000007